(57)【要約】【課題】  記録媒体のレーベル面にレーベル情報を印刷し、さらに記録面にデータを書き込む場合、レーベル情報の印刷とデータの書込みとを対応させることを目的とする。【解決手段】  記録媒体の記録面に書き込まれる記録媒体イメージファイルを生成するファイル生成部と、前記記録媒体のレーベル面に印刷されるレーベル情報を含む印刷データを生成し、前記印刷データの一部に前記記録媒体イメージファイルを埋め込む印刷データ生成部と、を有する印刷データ生成装置と、前記印刷データから記録媒体イメージファイルを分離する分離部と、分離された前記記録媒体イメージファイルを前記記録媒体の記録面に書き込むファイル書込み部と、前記印刷データに基づいて前記レーベル情報を前記記録媒体のレーベル面に印刷するレーベル情報印刷部と、を有するレーベル印刷装置と、を備えるレーベル印刷システムである。【選択図】  図２
2007035113.tif 000002
【特許請求の範囲】
【請求項１】
記録媒体の記録面に書き込まれる記録媒体イメージファイルを生成するファイル生成部と、
前記記録媒体のレーベル面に印刷されるレーベル情報を含む印刷データを生成し、前記印刷データの一部に前記記録媒体イメージファイルを埋め込む印刷データ生成部と、
を有する印刷データ生成装置と、
前記印刷データから記録媒体イメージファイルを分離する分離部と、
分離された前記記録媒体イメージファイルを前記記録媒体の記録面に書き込むファイル書込み部と、
前記印刷データに基づいて前記レーベル情報を前記記録媒体のレーベル面に印刷するレーベル情報印刷部と、
を有するレーベル印刷装置と、
を備えるレーベル印刷システム。
【請求項２】
前記レーベル情報は、レイアウト情報と、コンテンツ情報とを含む、ことを特徴とする請求項１に記載のレーベル印刷システム。
【請求項３】
前記レーベル印刷装置は、前記レーベル情報に複数のレイアウト情報が保存されているとき、どのレイアウト情報を使用するか選択するレイアウト情報選択部を備える、ことを特徴とする請求項２に記載のレーベル印刷システム。
【請求項４】
前記レーベル印刷装置は、所定のレイアウト情報を保存するレイアウト情報保存部を備え、前記レーベル情報にレイアウト情報が存在しないとき、前記レイアウト情報保存部に保存された前記所定のレイアウト情報にコンテンツ情報を組み込んで印刷する、ことを特徴とする請求項２に記載のレーベル印刷システム。
【請求項５】
前記コンテンツ情報が、記録日時、ＪＯＢ番号、ディスクＩＤの記録媒体作成情報を含む、ことを特徴とする請求項２に記載のレーベル印刷システム。
【請求項６】
前記レーベル印刷装置は、記録媒体の記録面を参照し、前記記録媒体が書換え可能であれば、前記記録媒体のデータを消去するデータ消去部と、
前記データ消去部から前記記録媒体が書換え可能である通知を受けて、前記記録媒体のレーベル面のレーベル情報を消去するレーベル情報消去部と、
を有する、ことを特徴とする請求項１に記載のレーベル印刷システム。
【請求項７】
記録媒体の記録面に書き込まれる記録媒体イメージファイルを生成するファイル生成部と、
前記記録媒体のレーベル面に印刷されるレーベル情報を含む印刷データを生成し、前記印刷データの一部に前記記録媒体イメージファイルを埋め込む印刷データ生成部と、
を有する印刷データ生成装置。
【請求項８】
レーベル情報の印刷データの一部に記録媒体イメージファイルが埋め込まれた印刷データから、前記記録媒体イメージファイルを分離する分離部と、
分離された前記記録媒体イメージファイルを前記記録媒体の記録面に書き込むファイル書込み部と、
前記印刷データに基づいて前記レーベル情報を前記記録媒体のレーベル面に印刷するレーベル情報印刷部と、
を有するレーベル印刷装置。
【発明の詳細な説明】
【技術分野】
【０００１】
この発明はレーベル印刷システム、印刷データ生成装置及びレーベル印刷装置に関する。
【背景技術】
【０００２】
ＣＤ−Ｒ、ＣＤ−ＲＷ、ＤＶＤ−Ｒ、ＤＶＤ−ＲＷ等の書込み・書換え可能な記録媒体のレーベル面に、自ら作成したレーベル情報（名前、整理番号、日付、画像等）を印刷するレーベル印刷装置が普及している。
レーベル情報の印刷は、専用又は汎用のアプリケーションソフトの印刷処理を実行することにより行われる。印刷処理を実行することにより、印刷データが生成されてレーベル印刷装置へ送信される。
他方、記録媒体の記録面にはデータ（動画データ等）が所定の方式で記録される。そのため、データ記録装置（レコーダ）は記録すべきデータに基づいて記録媒体イメージファイルを生成し、この記録媒体イメージファイルを記録媒体の記録面に書き込む。このデータの書込み処理も専用又は汎用のアプリケーションソフトを用いてデータ書込み処理を実行することにより行われる。このように記録媒体に対するレーベル印刷とデータ書込みは独立した処理として実行される。
従って、それぞれの処理を実行するための操作が使用者に要求され、作業に手間がかかる。
【発明の開示】
【発明が解決しようとする課題】
【０００３】
しかし、レーベル印刷/データ書込みの対象が複数存在する場合にはレーベル印刷処理とデータ書込み処理とを別々に行うと、選択ミスの生じるおそれがある。すなわち、１つの記録媒体においてレーベル印刷の内容とデータ記録面のデータとが対応しないおそれがある。
【課題を解決するための手段】
【０００４】
本発明は上記課題を解決すべくなされたものである。すなわち、記録媒体の記録面に書き込まれる記録媒体イメージファイルを生成するファイル生成部と、前記記録媒体のレーベル面に印刷されるレーベル情報を含む印刷データを生成し、前記印刷データの一部に前記記録媒体イメージファイルを埋め込む印刷データ生成部と、を有する印刷データ生成装置と、前記印刷データから記録媒体イメージファイルを分離する分離部と、分離された前記記録媒体イメージファイルを前記記録媒体の記録面に書き込むファイル書込み部と、前記印刷データに基づいて前記レーベル情報を前記記録媒体のレーベル面に印刷するレーベル情報印刷部と、を有するレーベル印刷装置と、を備えるレーベル印刷システムである。
【０００５】
上記構成によれば、レーベル情報の印刷データの一部に記録媒体イメージファイルを埋め込むことができる。この印刷データを受信したレーベル印刷装置は、印刷データの中から記録媒体イメージファイルを分離し、ファイル書込み部が記録媒体の記録面に記録媒体イメージファイルを書き込む。また、レーベル情報印刷部が印刷データに基づいてレーベル情報を記録媒体のレーベル面にレーベル情報を印刷する。
すなわち、レーベル印刷/データ書込みの対象が複数存在する場合でも、印刷データを生成するときにレーベル情報と記録媒体イメージファイルとが一つの命令（印刷コマンド）で行われるため、記録媒体の記録面に書き込まれる記録媒体イメージファイルと当該記録媒体のレーベル面に書き込まれるレーベル情報とを対応させることができる。
【発明を実施するための最良の形態】
【０００６】
以下、この発明の各要素について説明する。
（印刷データ生成装置）
印刷データ生成装置は、ファイル生成部と、印刷データ生成部とを備える。
ファイル生成部は、記録媒体（例えば、ＣＤ−Ｒ、ＣＤ−ＲＷ、ＤＶＤ−Ｒ、ＤＶＤ−ＲＷ等）の記録面に書き込まれる記録媒体イメージファイルを生成する。
記録媒体イメージファイルは、作成者、作成日付やデータの種類、データの大きさなどの情報を有するヘッダを保存するヘッダ領域と、ファイル（データ（テキストデータ、画像データ等））、フォルダ構造等を保存する記録情報保存領域とを有する。
印刷データ生成部はレーベル情報の印刷データを生成し、印刷データの一部に記録媒体イメージファイルを埋め込む。印刷データは、レーベル情報と記録媒体イメージファイルとを含んで構成されるため、それらを区別する必要がある。
レーベル情報と記録媒体イメージファイルを区別する構成は特に限定されず、例えば、レーベル情報及び記録媒体イメージファイルの前に識別情報（例えば、レーベル情報を区別するための情報）を挿入してもよいし(図１(Ａ)参照)、レーベル情報及び記録媒体イメージファイルの前にサブコマンド（例えば、レーベル情報を示すサブコマンド）を挿入して、区別してもよい(図１(Ｂ)参照)。
【０００７】
（レーベル情報）
レーベル情報は、任意の名前、画像、整理番号等を含んでなる情報であり、記録媒体のレーベル面に印刷されて、当該記録媒体の内容を示す情報として利用される。
レーベル情報の構成は特に限定されず、ビットマップ等のイメージ情報のみから当該レーベル情報を構成することができる。その他、レーベル情報はレイアウト情報、コンテンツ情報（例えば、テキスト情報、画像情報）に分けて構成することができる。レイアウト情報は、コンテンツ情報を印刷する座標・サイズ・色・フォント・傾きなどの書式を指定する情報である。そのため、レイアウト情報が決まれば、コンテンツ情報を変更するだけで、容易にレーベル情報の変更をすることができる。
また、コンテンツ情報として、記録媒体作成情報を利用することもできる。記録媒体作成情報は、データ固有の情報であり、例えば、当該データの記録日時、対象フォルダ、ＪＯＢ番号、ディスクＩＤ等の情報で構成される。
なお、レーベル情報のファイル形式は特に限定されず、例えば、ＸＭＬ、ＪＰＥＧ、ビットマップ等が挙げられる。
【０００８】
(レーベル印刷装置)
レーベル印刷装置は、分離部と、レーベル情報印刷部と、ファイル書込み部とを備える。
分離部は、印刷データから記録媒体イメージファイルを分離する。分離する方法は特に限定されない。例えば、印刷データ生成装置で生成された印刷データがレーベル情報と記録媒体イメージファイルを区別するための識別情報を含んでいる場合は、当該識別情報を指定して記録媒体イメージファイルを分離すればよい。また、印刷データがレーベル情報と記録媒体イメージファイルをサブコマンドで区別している場合は、分離部がサブコマンドを読み込んで記録媒体イメージファイルを分離してもよい。分離部で分離された記録媒体イメージファイルはファイル書込み部へ送信される。
レーベル情報印刷部は、分離部から送られてきた印刷データに基づいてレーベル情報を記録媒体のレーベル面に印刷する。レーベル面へのレーベル情報の印刷方法は、特に限定されず、例えば、インクジェット式、昇華方式等が挙げられる。
ファイル書込み部は、分離部から送られてきた記録媒体イメージファイルを記録媒体の記録面へ書き込む。記録媒体イメージファイルの書込み方法は、特に限定されず、例えば、ＣＤ−Ｒの場合、その記録面に、通常、有機色素が塗布されており、レーザーがその有機色素を変性させることでデータを記録する。
【０００９】
レーベル印刷装置は、さらに、データ消去部とレーベル情報消去部とを備える。
データ消去部は、当該記録媒体の記録面を参照し、書換え可能な記録媒体であれば、記録面のデータを消去する。その後、データ消去部は記録媒体が書換え可能な記録媒体であることをレーベル情報消去部に通知し、レーベル情報消去部が記録媒体のレーベル面のレーベル情報を消去する。レーベル情報を消去する方法は、特に限定されず、例えば、レーベル面に白色の塗料を塗布することで、レーベル情報を消去する。
【００１０】
レーベル印刷装置は、さらに、レイアウト情報選択部を備える。
レイアウト情報選択部は、レーベル印刷装置が所定のレイアウト情報を保存するレイアウト情報保存部を備え、そのレイアウト情報保存部に保存された所定のレイアウト情報が複数ある場合、それらのレイアウト情報の中から一つのレイアウト情報を選択することができる。
【００１１】
以下に、上記各要素を使用したレーベル印刷システムの概略を説明する。
図２はレーベル情報を記録媒体に印刷する過程を示すブロック図である。本システムは、印刷データを作成する印刷データ生成装置１０と、その印刷データに基づいてレーベル情報を記録媒体に印刷するレーベル印刷装置２０とで構成される。
印刷データ生成装置１０は、ファイル生成部１１と、印刷データ生成部１２とを備える。また、レーベル印刷装置２０は、分離部２１と、レーベル情報印刷部２２と、ファイル書込み部２３とを備える。印刷データ生成装置１０とレーベル印刷装置２０とはネットワークを介して通信可能な状態にある。
【００１２】
ファイル生成部１１は記録媒体の記録面に書き込まれる記録媒体イメージファイルを作成する。ファイル生成部１１で作成された記録媒体イメージファイルは印刷データ生成部１２に送られる。
印刷データ生成部１２はレーベル情報の印刷データを生成し、印刷データの一部に記録媒体イメージファイルを埋め込む。作成された印刷データはレーベル印刷装置２０に送信される。
印刷データを受信したレーベル印刷装置２０は、分離部２１が印刷データの中から記録媒体イメージファイルを分離し、その記録媒体イメージファイルをファイル書込み部２３に送る。記録媒体イメージファイルを受けたファイル書込み部２３は当該記録媒体イメージファイルを記録媒体２４の記録面に書き込む。また、レーベル情報印刷部２２が印刷データに基づいてレーベル情報を記録媒体２４のレーベル面に印刷する。
このように、印刷データにレーベル情報と記録媒体イメージファイルとを保存することにより、一つの命令でレーベル印刷の処理と記録媒体イメージファイルの書込みの処理とができるため、記録媒体イメージファイルとレーベル情報とを対応させることができる。
【実施例１】
【００１３】
以下、この発明の実施例について説明する。
図３は本発明の実施例であるレーベル印刷システム２の概略図である。レーベル印刷システム２は印刷データ生成装置１００とレーベル印刷装置２００とで概略構成される。
印刷データ生成装置１００は、制御部１１０と、データ保存部１４０と印刷データ生成部１５０とで概略構成される。また、レーベル印刷装置２００は制御部２１０と、分離部２２０と、データ保存部２３０と、レーベル情報印刷部２４０と、ファイル書込み部２５０とで概略構成される。印刷データ生成装置１００とレーベル印刷装置２００とはネットワークで接続されており、お互いが通信可能な状態にある。
【００１４】
制御部１１０はＣＰＵ１１１を備える。印刷データ生成装置１００に備えられる各要素はバスラインを介してこのＣＰＵ１１１に接続され、その制御を受ける。ＣＰＵ１１１を動作させるためのコンピュータプログラムはデータ保存部１４０のプログラム保存領域１４１に保存されており、ＣＰＵ１１１は当該プログラムを読み出して所定の動作を行う。
入力部１２０はキーボードやマウスなどの入力装置が接続され、印刷データ生成装置１００を操作するために使用される。
出力部１３０はディスプレイなどの映像装置が接続される。
データ保存部１４０はプログラム保存領域１４１と、レーベル情報保存領域１４２と、記録媒体イメージファイル保存領域１４３とを備える。プログラム保存領域１４１はＣＰＵ１１１を制御するために必要なプログラムが保存される。レーベル情報保存領域１４２はレーベル情報が保存される。また、記録媒体イメージファイル保存領域１４３は記録媒体の記録面に書き込まれる記録媒体イメージファイルが保存される領域である。
印刷データ生成部１５０はレーベル情報保存領域１４２からレーベル情報を読み出して印刷データの一部に当該レーベル情報を保存する。また、記録媒体イメージファイル保存領域１４３から記録媒体イメージファイルを読み出して印刷データの一部に当該記録媒体イメージファイルを保存する。レーベル情報と記録媒体イメージファイルとの区別をするためそれぞれの先頭部分に識別情報を挿入して、印刷データを生成する。
【００１５】
一方、レーベル印刷装置２００の制御部２１０はＣＰＵ２１１を備え、レーベル印刷装置２００に備えられる各要素はバスラインを介して制御される。ＣＰＵ２１１を動作させるためのコンピュータプログラムはデータ保存部２３０のプログラム保存領域２３１に保存されており、ＣＰＵ２１１は当該プログラムを読み出して所定の動作を行う。
分離部２２０は印刷データ保存領域２３２に保存された印刷データから記録媒体イメージファイルを分離する。分離する方法は印刷データ中の識別情報を読取ることで、記録媒体イメージファイルを分離する。
データ保存部２３０はプログラム保存領域２３１と印刷データ保存領域２３２とを備える。プログラム保存領域２３１はＣＰＵ２１１を制御するために必要なプログラムを保存する領域である。印刷データ保存領域２３２は印刷データ生成装置１００から送られてきた印刷データを保存する領域である。
レーベル情報印刷部２４０は印刷データから分離されたレーベル情報を記録媒体のレーベル面に印刷する。印刷方法は記録媒体に対する低衝撃力、印刷速度等の観点からインクジェット方式を採用する。
ファイル書込み部２５０は印刷データから分離された記録媒体イメージファイルを記録媒体に書込む。
【００１６】
以下に、レーベル印刷システム２の動作について説明する。
図４は印刷データからレーベル印刷を行う動作を示すフローチャートである。
記録媒体イメージファイル作成ソフトを実行することにより記録媒体イメージファイルを作成し（ステップ１）、当該記録媒体イメージファイルを記録媒体イメージファイル保存領域１４３に保存する（ステップ３）。次に、レーベル作成ソフトを実行することによりレーベル情報を作成し（ステップ５）、当該レーベル情報をレーベル情報保存領域１４２に保存する（ステップ７）。続いて、印刷操作を行うことにより、印刷データ生成部１５０がレーベル情報保存領域１４２からレーベル情報を読出し、また、記録媒体イメージファイル保存領域１４３から記録媒体イメージファイルを読出し、それらを印刷データの一部に保存して、印刷データを作成する（ステップ９）。作成された印刷データはネットワークを介してレーベル印刷装置２００に送信される（ステップ１１）。
レーベル印刷装置２００は印刷データを受信した後（ステップ１３）、当該印刷データを印刷データ保存領域２３２に保存する（ステップ１５）。次に、分離部２２０は印刷データの中から特定の識別情報を読み出すことにより記録媒体イメージファイルを分離する（ステップ１７）。分離された記録媒体イメージファイルはファイル書込み部２５０に送られ、ファイル書込み部２５０が記録媒体の記録面に記録媒体イメージファイルを書き込む（ステップ１９）。また、レーベル情報印刷部２４０が印刷データに基づいてレーベル情報を記録媒体のレーベル面に印刷する（ステップ２１）。
【００１７】
以上のように、印刷データにレーベル情報と記録媒体イメージファイルとを保存することにより、一つの命令でレーベル印刷の処理と記録媒体イメージファイルの書込みの処理とができるため、記録媒体イメージファイルとレーベル情報とを対応させることができる。
【実施例２】
【００１８】
図５は本発明の他の実施例であるレーベル印刷システム３の概略図である。実施例１と同一の要素には同一の符号を付してその説明を省略する。
レーベル印刷装置３００は、所定のレイアウト情報保存領域３３３とレイアウト情報選択部３７０とを備える。
所定のレイアウト情報保存領域３３３は、１又は複数のレイアウト情報を保存するための領域である。
レイアウト情報選択部３７０は、所定のレイアウト情報保存部３３３に複数のレイアウト情報が保存されているとき、それらのレイアウト情報の中から一つのレイアウト情報を選択する。
【００１９】
以下に、レーベル印刷システム３の動作について説明する。
図６は印刷データからレーベル印刷を行う動作を示すフローチャートである。
記録媒体イメージファイル作成ソフトを実行することにより記録媒体イメージファイルを作成し（ステップ３１）、当該記録媒体イメージファイルを記録媒体イメージファイル保存領域１４３に保存する（ステップ３３）。次に、レーベル作成ソフトを実行することによりレーベル情報を作成し（ステップ３５）、当該レーベル情報をレーベル情報保存領域１４２に保存する（ステップ３７）。続いて、印刷操作を行うことにより、印刷データ生成部１５０がレーベル情報保存領域１４２からレーベル情報を読出し、また、記録媒体イメージファイル保存領域１４３から記録媒体イメージファイルを読出し、それらを印刷データの一部に保存して、印刷データを作成する（ステップ３９）。作成された印刷データはネットワークを介してレーベル印刷装置３００に送信される（ステップ４１）。
レーベル印刷装置３００は印刷データを受信した後（ステップ４３）、当該印刷データを印刷データ保存領域２３２に保存する（ステップ４５）。次に、分離部２２０が印刷データの中から特定の識別情報を読み出すことにより、記録媒体イメージファイルを分離する（ステップ４７）。分離された記録媒体イメージファイルはファイル書込み部２５０に送られ、記録媒体イメージファイルの書込みが行われる（ステップ４９）。
また、印刷データに含まれたレーベル情報がレイアウト情報を含んでいる場合は（ステップ５１；Ｙ）、そのレーベル情報を印刷する（ステップ５９）。一方、レーベル情報がレイアウト情報を含んでいない場合は（ステップ５１；Ｎ）、レイアウト情報選択部３７０が所定のレイアウト情報保存領域３３３を参照する。所定のレイアウト情報保存領域３３３に複数のレイアウト情報が存在するとき（ステップ５３；Ｙ）、レイアウト情報選択部３７０が一つのレイアウト情報を選択し、そのレイアウト情報を読み出す（ステップ５５）。一方、所定のレイアウト情報保存領域３３３に一つのレイアウト情報だけ存在しないときは、レイアウト情報選択部３７０が当該レイアウト情報を読み出す（ステップ５３；Ｎ）。続いて、この読み出されたレイアウト情報にコンテンツ情報を組み込んでレーベル情報を作成する（ステップ５７）。作成されたレーベル情報はレーベル情報印刷部２４０に送られ、レーベル印刷が行われる（ステップ５９）。
【００２０】
以上のように、本実施例のレーベル印刷システムを用いることにより、レーベル情報にレイアウト情報が存在しない場合でも、所定のレイアウト情報を読み出して、それにコンテンツ情報を合成してレーベル情報を作成することができる。
本実施例のレーベル印刷システムを用いることにより、例えば、定型化したデータ処理を行う場合（電子カルテデータを取り扱い場合）、所定のレイアウト情報をもとに、画像情報（患者の顔の画像情報等）やテキスト情報（患者名、作成日等）を変更するだけで簡単にレーベル情報の印刷を行うことができる。
なお、本実施例で使用するコンテンツ情報として、記録日時、ＪＯＢ番号、シリアル番号等で構成される記録媒体作成情報を使用することもできる。
【実施例３】
【００２１】
図７は他の実施例であるレーベル印刷装置４００の構成図である。実施例１と同一の要素には同一の符号を付してその説明を省略する。
レーベル印刷装置４００は、データ消去部４１０とレーベル情報消去部４２０とを備える。
データ消去部４１０は既に記録媒体の記録面に書き込まれているデータを消去する。
レーベル情報消去部４２０は記録媒体のレーベル面に白色の塗料を塗布することによりレーベル情報を消去する。
【００２２】
以下に、レーベル印刷装置４００の動作を説明する。
図８は書換え可能な記録媒体がレーベル印刷装置４００に収納された場合のレーベル面を消去する動作を示すフローチャートである。
レーベル印刷装置４００に記録媒体が収納されたとき（ステップ６１）、データ消去部４１０が記録媒体の記録面を参照し（ステップ６３）、当該記録媒体が書換え可能な記録媒体であるかを判断する。書換え可能であれば（ステップ６５；Ｙ）、データ消去部４１０は当該記録媒体のデータを消去する（ステップ６７）。書換え可能でなければ（ステップ６５；Ｎ）、レーベル印刷装置４００の動作は終了する。続いて、データ消去部３１０はレーベル情報消去部４２０に対して当該記録媒体が書換え可能な記録媒体である情報を通知し（ステップ６９）、その通知を受けたレーベル情報消去部４２０が当該記録媒体のレーベル面を消去する（ステップ７１）。
これにより、当該記録媒体は新しいデータの書込み及びレーベル印刷が可能な状態となる。
その他の動作は図４の例と同一である。
【００２３】
以上のように、本実施例のレーベル印刷装置を使用すれば、書換え可能な記録媒体が収納された場合でも、そのデータ及びレーベル情報を消去することにより、当該記録媒体は、新しいデータの書込み及びレーベル印刷を行うことができる状態となる。
【００２４】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
【図面の簡単な説明】
【００２５】
【図１】図１は印刷データのデータ構成図である。
【図２】図２はレーベル情報を印刷する過程を示すブロック図である。
【図３】図３は実施例１で使用されるレーベル印刷システムの構成図である。
【図４】図４はレーベル印刷の動作を示すフローチャートである。
【図５】図５は実施例２で使用されるレーベル印刷システムの概略図である。
【図６】図６はレーベル印刷の動作を示すフローチャートである。
【図７】図７は実施例３で使用されるレーベル印刷システムの概略図である。
【図８】図８はレーベル情報を消去する動作を示すフローチャートである。
【符号の説明】
【００２６】
１  ２  ３  レーベル印刷システム、１０  １００  印刷データ生成装置、１１  ファイル生成部、１２  １５０  印刷データ生成部、２０  ２００  ３００  ４００  レーベル印刷装置、２１  ２２０  分離部、２２  ２４０  レーベル情報印刷部、２３  ２５０  ファイル書込み部
【図１】
2007035113.tif 000003
【図２】
2007035113.tif 000004
【図３】
2007035113.tif 000005
【図４】
2007035113.tif 000006
【図５】
2007035113.tif 000007
【図６】
2007035113.tif 000008
【図７】
2007035113.tif 000009
【図８】
2007035113.tif 000010